(57)【要約】【課題】レンズ部材から出射される光の光量の低下を防止するとともに、光が外部へ漏れるのを防止することが可能なプロジェクタを提供する【解決手段】プロジェクタ１は、リフレクタ２２の開口部２２ａを覆うように光の出射方向側（前方）に装着される金属製の光漏れ防止蓋１０を備え、金属製の光漏れ防止蓋１０は、光源２１の軸線上に配置された光を出射するレンズ部材１１を含むとともに、光源２１およびリフレクタ２２からの光を反射して光がレンズ部材１１以外の外部へ漏れるのを防止し、さらに、光漏れ防止蓋１０は、光の出射方向側（前方）に向かって先細り形状になるとともに、光源２１およびリフレクタ２２からの光を散乱させる機能を有する内面１０ａを含む。【選択図】図７
2006133408.tif 000002
【特許請求の範囲】
【請求項１】
光を出射する光源と、前記光の出射方向側に開口部を有するとともに、前記光源からの光を出射方向側に反射するリフレクタとを含む光源ランプを備えたプロジェクタにおいて、
前記リフレクタの開口部を覆うように前記光の出射方向側に装着される金属製の光漏れ防止蓋を備え、
前記金属製の光漏れ防止蓋は、前記光源の軸線上に配置された前記光を出射するレンズ部材を含むとともに、前記光源および前記リフレクタからの光を反射して前記光が前記レンズ部材以外の外部へ漏れるのを防止し、
さらに、前記光漏れ防止蓋は、光の出射方向側に向かって先細り形状になるとともに、前記光源および前記リフレクタからの光を散乱させる機能を有する内面を含む、プロジェクタ。
【請求項２】
光を出射する光源と、
前記光の出射方向側に開口部を有するとともに、前記光源からの光を出射方向側に反射するリフレクタと、
前記リフレクタの開口部を覆うように前記光の出射方向側に装着されるとともに、前記光を出射するレンズ部材を含み、かつ、前記光源および前記リフレクタからの光を反射して前記光が前記レンズ部材以外の外部へ漏れるのを防止する金属製の光漏れ防止蓋とを備えた、プロジェクタ。
【請求項３】
前記光漏れ防止蓋のレンズ部材は、前記光源の軸線上に配置されている、請求項２に記載のプロジェクタ。
【請求項４】
前記光漏れ防止蓋は、光の出射方向側に向かって先細り形状になるとともに、前記光源および前記リフレクタからの光を散乱させる機能を有する内面を含む、請求項２または３に記載のプロジェクタ。
【請求項５】
前記光漏れ防止蓋の内面は、階段状に形成されている、請求項４に記載のプロジェクタ。
【請求項６】
前記光漏れ防止蓋は、アルミニウムにより形成されている、請求項１〜５のいずれか１項に記載のプロジェクタ。
【発明の詳細な説明】
【技術分野】
【０００１】
この発明は、プロジェクタに関し、特に、光源ランプを備えたプロジェクタに関する。
【背景技術】
【０００２】
従来、プロジェクタなどに使用される光源ランプが知られている（たとえば、特許文献１〜３参照）。
【０００３】
上記特許文献１には、樹脂製のランプハウジングに一体的に設けられ、光源およびリフレクタからの光を外部に照射するレンズ部材を備え、かつ、光源から光が直接前方に照射されないように光源の光軸上に配置された照射光を部分的に遮光するシェード（遮光板）を、リフレクタの表面に取り付けるとともに、シェード（遮光板）から所定の間隔を隔ててリフレクタの裏面に点灯回路部を取り付けることにより、シェードから点灯回路部への熱の伝達を抑制した車両用前照灯（光源ランプ）が開示されている。
【０００４】
上記特許文献２には、光源およびリフレクタからの光を外部に照射するとともに、リフレクタの開口部とほぼ同じ大きさを有するレンズ部材を、レンズを支持する部材により支持し、かつ、光源から出射される上向きの光を遮光する遮光板が設けられたヘッドランプに、光源から出射される下向きの光の一部を上向きに反射する反射板をさらに設けることにより、上方にも所定の光量を照射することが可能な車両用のプロジェクタ型ヘッドランプ（光源ランプ）が開示されている。
【０００５】
上記特許文献３には、ＵＶ放射線（紫外線）を含む光線の光路に、ＵＶ波長域内の光線を吸収するとともに、遮光体（遮光板）を内蔵するフィルタが配置されている車両用前照灯（光源ランプ）が図示しない樹脂製のケーシングに収納された構造が開示されている。
【０００６】
また、従来、光源ランプを備えたプロジェクタが知られている。図１１は、従来の一例による光源ランプを備えたプロジェクタの斜視図である。図１２は、図１１に示した従来の一例によるプロジェクタの平面図である。図１３〜図１６は、図１１に示した従来の一例によるプロジェクタの光源部およびその周辺の構造の詳細を示した図である。図１１〜図１６を参照して、従来の一例による光源ランプ１２０を備えたプロジェクタ１００の構造について説明する。
【０００７】
従来の一例によるプロジェクタ１００は、図１１、図１２および図１５に示すように、装置内部に、樹脂製の光源ランプ収納ケース１１０と、光源ランプ収納ケース１１０の内部に収納される超高圧水銀ランプからなる光源ランプ１２０と、光源ランプ１２０が取り付けられるランプケース１３０と、光源ランプ１２０をランプケース１３０に固定するためのコイルスプリング１４０（図１５参照）と、光源ランプ１２０からの光を用いてスクリーン（図示せず）に投影するための像を形成する投影部１５０と、光源ランプ１２０の側面側に配置されるとともに、光源ランプ１２０を所定の温度に冷却するための冷却ファン１６０と、吸排気を行う吸排気口１７０と、放熱板１８０とを備えている。
【０００８】
樹脂製の光源ランプ収納ケース１１０の前方には、図１４に示すように、レンズ部材１１１が取り付けられている。また、超高圧水銀ランプからなる光源ランプ１２０は、図１３に示すように、光を出射する光源１２１と、光源１２１からの光を前方に反射させるための凹状のリフレクタ１２２と、リフレクタ１２２の端部に設けられたフランジ部１２３とを含んでいる。また、光源１２１から出射される光には、紫外線が含まれている。光源ランプ収納ケース１１０は、図１５および図１６に示すように、上記した紫外線を含む光
が外部に漏れないように光源ランプ１２０全体を取り囲むに設けられている。また、光源１２１は、図１３に示すように、リフレクタ１２２の中心部に設けられている。また、光源ランプ１２０は、図１５に示すように、コイルスプリング１４０によりランプケース１３０に固定されている。
【０００９】
また、投影部１５０は、図１２に示すように、光を矩形状に成形するライトトンネル１５１と、光を反射するミラー１５２と、レンズ１５３と、光に画像情報を付与するとともに光を反射するＤＭＤ素子１５４と、投影レンズ１５５とにより構成されている。また、ライトトンネル１５１は、光が入射される入口部１５１ａおよび光を出射する出口部１５１ｂを有する。
【００１０】
次に、図１２および図１６を参照して、従来の一例による光源ランプを含むプロジェクタの投影動作について説明する。まず、図１２に示すように、光源ランプ１２０の光源１２１から出射された光と、光源ランプ１２０のリフレクタ１２２によって反射された光とが、光源ランプ収納ケース１１０のレンズ部材１１１（図１６参照）に照射される。この光は、図１２に示すライトトンネル１５１の入口部１５１ａに入射され、矩形状に成形されてライトトンネル１５１の出口部１５１ｂから出射される。ライトトンネル１５１の出口部１５１ｂから出射された光は、図１２の矢印Ｄ方向に進行するとともに、ミラー１５２により図１２の矢印Ｅ方向に反射される。このミラー１５２により反射された光は、レンズ１５３を介してＤＭＤ素子１５４に入射される。この光は、ＤＭＤ素子１５４に画像情報を付与されるとともに、図１２の矢印Ｆ方向に反射されて、投影レンズ１５５に供給される。これにより、投影レンズ１５５からスクリーン（図示せず）に映像が投影される。また、光源１２１の温度上昇に起因する光源１２１の破損を防止するため、プロジェクタ１００の投影時に、光源１２１が内部に収納された光源ランプ収納ケース１１０を、冷却ファン１６０によって所定の温度（約４００℃〜約５００℃）に冷却している。
【特許文献１】特開２００２−３４３１２９号公報
【特許文献２】特開平７−２９４０２号公報
【特許文献３】特開平５−２１７４０４号公報
【発明の開示】
【発明が解決しようとする課題】
【００１１】
図１１〜図１６に示した従来の光源ランプ１２０を備えたプロジェクタ１００では、樹脂製の光源ランプ収納ケース１１０に光源１２１およびリフレクタ１２２からの光が照射されて、樹脂製の光源ランプ収納ケース１１０の温度が上昇するために、樹脂製の光源ランプ収納ケース１１０からガスが発生するという不都合があった。これにより、光源ランプ収納ケース１１０から発生するガスの成分がレンズ部材１１１の表面に付着することに起因して、レンズ部材１１１から出射される光の光量が低下するという問題点があった。
【００１２】
上記特許文献１に開示された光源ランプでは、図１１〜図１６に示した構造と同様、光源およびリフレクタからの光を外部に照射するレンズ部材が一体的に設けられているランプホルダが、樹脂により形成されているため、光を照射される樹脂製のランプホルダの温度が上昇して、樹脂製のランプホルダからガスが発生するという不都合が生じる。これにより、樹脂製のランプホルダから発生するガスの成分がレンズ部材に付着することに起因して、レンズ部材から出射される光の光量が低下するという問題点が生じる。
【００１３】
上記特許文献２では、明記はされていないが、レンズ部材を支持する部材が樹脂製である場合には、上記特許文献１と同様、レンズ部材を支持する樹脂製の部材から発生するガスの成分がレンズ部材に付着することに起因して、レンズ部材から出射される光の光量が低下するという問題点が生じると考えられる。
【００１４】
上記特許文献３に開示された光源ランプでは、図１１〜図１６に示した構造と同様、リフレクタやレンズ部材が収納されるケーシングが樹脂製であるため、光を照射される樹脂製のケーシングの温度が上昇して、ケーシングからガスが発生するという不都合が生じると考えられる。これにより、ケーシングから発生するガスの成分がレンズ部材に付着することに起因して、レンズ部材から出射される光の光量が低下するという問題点が生じると考えられる。
【００１５】
この発明は、上記のような課題を解決するためになされたものであり、この発明の１つの目的は、レンズ部材から出射される光の光量の低下を防止するとともに、光が外部へ漏れるのを防止することが可能なプロジェクタを提供することである。
【課題を解決するための手段】
【００１６】
上記目的を達成するために、この発明の第１の局面によるプロジェクタは、光を出射する光源と、光の出射方向側に開口部を有するとともに、光源からの光を出射方向側に反射するリフレクタとを含む光源ランプを備えたプロジェクタにおいて、リフレクタの開口部を覆うように光の出射方向側に装着される金属製の光漏れ防止蓋を備え、金属製の光漏れ防止蓋は、光源の軸線上に配置された光を出射するレンズ部材を含むとともに、光源およびリフレクタからの光を反射して光がレンズ部材以外の外部へ漏れるのを防止し、さらに、光漏れ防止蓋は、光の出射方向側に向かって先細り形状になるとともに、光源およびリフレクタからの光を散乱させる機能を有する内面を含む。
【００１７】
この第１の局面によるプロジェクタでは、上記のように、光源およびリフレクタからの光を反射して光がレンズ部材以外の外部へ漏れるのを防止する金属製の光漏れ防止蓋を設けることによって、光源およびリフレクタからの光がレンズ部材以外の外部へ漏れるのを防止することができる。また、光漏れ防止蓋を金属により形成することによって、光漏れ防止蓋を樹脂により形成する場合と異なり、光漏れ防止蓋に光源およびリフレクタからの光が照射されて、光漏れ防止蓋の温度が上昇する場合にも、光漏れ防止蓋からガスが発生するのを防止することができる。これにより、光漏れ防止蓋から発生するガスの成分がレンズ部材に付着することに起因して、レンズ部材から出射される光の光量が低下するのを防止することができる。また、光漏れ防止蓋のレンズ部材を、光源の軸線上に配置することによって、光源の軸線上に集光されるリフレクタからの光を、有効にレンズ部材に照射することができる。また、光漏れ防止蓋に、光の出射方向側に向かって先細り形状になるとともに、光源およびリフレクタからの光を散乱させる機能を有する内面を設けることによって、光漏れ防止蓋の内面から光源に向かって反射する光を散乱させことができるので、光源の温度が上昇するのを抑制することができる。これにより、光源の温度上昇に起因して、光源が破損するのを抑制することができる。
【００１８】
この発明の第２の局面によるプロジェクタは、光を出射する光源と、光の出射方向側に開口部を有するとともに、光源からの光を出射方向側に反射するリフレクタと、リフレクタの開口部を覆うように光の出射方向側に装着されるとともに、光を出射するレンズ部材を含み、かつ、光源およびリフレクタからの光を反射して光がレンズ部材以外の外部へ漏れるのを防止する金属製の光漏れ防止蓋とを備える。
【００１９】
この第２の局面によるプロジェクタでは、上記のように、光源およびリフレクタからの光を反射して光がレンズ部材以外の外部へ漏れるのを防止する金属製の光漏れ防止蓋を設けることによって、光源およびリフレクタからの光がレンズ部材以外の外部へ漏れるのを防止することができる。また、光漏れ防止蓋を金属により形成することによって、光漏れ防止蓋を樹脂により形成する場合と異なり、光漏れ防止蓋に光源およびリフレクタからの光が照射されて、光漏れ防止蓋の温度が上昇する場合にも、光漏れ防止蓋からガスが発生
するのを防止することができる。これにより、光漏れ防止蓋から発生するガスの成分がレンズ部材に付着することに起因して、レンズ部材から出射される光の光量が低下するのを防止することができる。
【００２０】
上記第２の局面によるプロジェクタにおいて、好ましくは、光漏れ防止蓋のレンズ部材は、光源の軸線上に配置されている。このように構成すれば、光源の軸線上に集光されるリフレクタからの光を、有効にレンズ部材に照射することができる。
【００２１】
上記第２の局面によるプロジェクタにおいて、好ましくは、光漏れ防止蓋は、光の出射方向側に向かって先細り形状になるとともに、光源およびリフレクタからの光を散乱させる機能を有する内面を含む。このように構成すれば、光漏れ防止蓋の内面から光源に向かって反射する光を散乱させることができるので、光源の温度が上昇するのを抑制することができる。これにより、光源の温度上昇に起因して、光源が破損するのを抑制することができる。
【００２２】
この場合に、好ましくは、光漏れ防止蓋の内面は、階段状に形成されている。このように構成すれば、光漏れ防止蓋の内面から光源に向かって反射する光を、容易に散乱することができる。
【００２３】
上記第１または第２の局面によるプロジェクタにおいて、好ましくは、光漏れ防止蓋は、アルミニウムにより形成されている。このように構成すれば、光漏れ防止蓋によりリフレクタの開口部を覆う場合にも、大きな熱伝導率を有するアルミニウムからなる光漏れ防止蓋により、良好に熱を外部に放熱することができる。
【発明を実施するための最良の形態】
【００２４】
以下、本発明の実施形態を図面に基づいて説明する。
（第１実施形態）
図１は、本発明の第１実施形態による光源ランプを含むプロジェクタを示した斜視図である。図２は、図１に示した第１実施形態によるプロジェクタを示した平面図である。図３〜図７は、図１に示した第１実施形態によるプロジェクタの構造の詳細を示した図である。まず、図１〜図７を参照して、本発明の第１実施形態による光源ランプ２０を備えたプロジェクタ１の構造について説明する。
【００２５】
本発明の第１実施形態によるプロジェクタ１は、図１および図２に示すように、装置内部に、光漏れ防止蓋１０と、光漏れ防止蓋１０が装着される超高圧水銀ランプからなる光源ランプ２０と、光源ランプ２０からの光を用いてスクリーン（図示せず）に投影するための像を形成する投影部５０と、光源ランプ２０の側面側に配置されるとともに、光源ランプ２０を所定の温度に冷却するための冷却ファン６０と、吸排気を行う吸排気口７０と、放熱板８０とを備えている。
【００２６】
ここで、第１実施形態では、光漏れ防止蓋１０は、アルミニウムにより形成されている。また、光漏れ防止蓋１０の内面１０ａおよび外面は、図４および図７に示すように、前方に向かって先細りする円錐状の形状に形成されている。また、アルミニウム製の光漏れ防止蓋１０には、図６および図７に示すように、レンズ部材１１が取り付けられている。また、光漏れ防止蓋１０には、ねじ３０が取り付けられる２つのねじ孔１２を有するフランジ部１３が設けられている。また、超高圧水銀ランプからなる光源ランプ２０は、図３に示すように、紫外線を含む光を出射する光源２１と、光源２１からの光を前方に向かって反射するための凹状のリフレクタ２２と、リフレクタ２２の端部に設けられたフランジ部２３と、フランジ部２３に設けられるとともにねじ３０が取り付けられる２つのねじ挿
入孔２４と、支持部２５と、支持部２５に設けられるとともに、ねじ４０が取り付けられる２つのねじ挿入孔２６とを有する。
【００２７】
また、リフレクタ２２は、図７に示すように、前方に開口部２２ａを有する。また、光漏れ防止蓋１０は、上記した紫外線を含む光が外部に漏れないようにリフレクタ２２の開口部２２ａを覆うように装着されている。また、光漏れ防止蓋１０のフランジ部１３は、リフレクタ２２の開口部２２ａの径よりも大きな内径を有することによって、リフレクタ２２から反射される光を光漏れ防止蓋１０のフランジ部１３が遮るのを防止している。また、光源２１は、リフレクタ２２の中心部に設けられている。また、アルミニウム製の光漏れ防止蓋１０の内面１０ａに、光源２１およびリフレクタ２２からの光が照射されて反射される。
【００２８】
また、光源ランプ２０の支持部２５は、プロジェクタ１に、２つのねじ４０によって取り付けられている。また、光漏れ防止蓋１０は、図５に示すように、２つのねじ３０によって、光源ランプ２０に取り付けられている。また、光漏れ防止蓋１０に取り付けられたレンズ部材１１は、図７に示すように、光源２１の軸線上に配置されており、光源２１およびリフレクタ２２からの光を出射する機能を有する。また、光漏れ防止蓋１０の内面１０ａは、光源２１およびリフレクタ２２からの光を反射して光がレンズ部材１１以外の外部へ漏れるのを防止する機能を有する。また、光漏れ防止蓋１０の内面１０ａは、図示しないが、光源２１およびリフレクタ２２からの光を散乱させるために微細な凹凸形状を有する。
【００２９】
また、投影部５０は、図２に示すように、光を矩形状に成形するライトトンネル５１と、光を反射するミラー５２と、レンズ５３と、光に画像情報を付与するとともに光を反射するＤＭＤ素子５４と、投影レンズ５５とにより構成されている。また、ライトトンネル５１は、光が入射される入口部５１ａおよび光を出射する出口部５１ｂを有する。
【００３０】
次に、図２および図７を参照して、第１実施形態による光源ランプ２０を含むプロジェクタ１の投影動作について説明する。
【００３１】
まず、図２に示すように、光源ランプ２０の光源２１から出射された光と、光源ランプ２０のリフレクタ２２によって反射された光とが、光漏れ防止蓋１０のレンズ部材１１（図７参照）に照射される。この光は、図２に示すように、ライトトンネル５１の入口部５１ａに入射され、矩形状に成形されてライトトンネル５１の出口部５１ｂから出射される。ライトトンネル５１の出口部５１ｂから出射された光は、図２の矢印Ａ方向に進行するとともに、ミラー５２により図２の矢印Ｂ方向に反射される。このミラー５２により反射された光は、レンズ５３を介してＤＭＤ素子５４に入射される。この光は、ＤＭＤ素子５４に画像情報を付与されるとともに、図２の矢印Ｃ方向に反射されて、投影レンズ５５に供給される。これにより、投影レンズ５５からスクリーン（図示せず）に映像が投影される。また、光源２１の温度上昇に起因する光源２１の破損を防止するため、プロジェクタ１の投影時に、光源２１が内部に配置されたアルミニウムからなる光漏れ防止蓋１０を、冷却ファン６０によって所定の温度（約４００℃〜約５００℃）に冷却している。
【００３２】
第１実施形態では、上記のように、光源２１およびリフレクタ２２からの光を反射して光がレンズ部材１１以外の外部へ漏れるのを防止するアルミニウム製の光漏れ防止蓋１０を設けることによって、光源２１およびリフレクタ２２からの紫外線を含む光がレンズ部材１１以外の外部へ漏れるのを防止することができる。また、光漏れ防止蓋１０をアルミニウムにより形成することによって、光漏れ防止蓋１０を樹脂により形成する場合と異なり、光漏れ防止蓋１０に光源２１およびリフレクタ２２からの光が照射されて、光漏れ防止蓋１０の温度が上昇する場合にも、光漏れ防止蓋１０からガスが発生するのを防止する
ことができる。これにより、光漏れ防止蓋１０から発生するガスの成分がレンズ部材１１に付着することに起因して、レンズ部材１１から出射される光の光量が低下するのを防止することができる。
【００３３】
また、第１実施形態では、光漏れ防止蓋１０のレンズ部材１１を、光源２１の軸線上に配置することによって、光源２１の軸線上に集光されるリフレクタ２２からの光を、有効にレンズ部材１１に照射することができる。
【００３４】
また、第１実施形態では、光漏れ防止蓋１０に、光の出射方向側に向かって先細り形状になるとともに、光源２１およびリフレクタ２２からの光を散乱させるための微細な凹凸形状を有する内面１０ａを設けることによって、光漏れ防止蓋１０の内面１０ａから光源２１に向かって反射する光を散乱させることができるので、光源２１の温度が上昇するのを抑制することができる。これにより、光源２１の温度上昇に起因して、光源２１が破損するのを抑制することができる。
【００３５】
また、第１実施形態では、光漏れ防止蓋１０をアルミニウムにより形成することによって、光漏れ防止蓋１０によりリフレクタ２２の開口部２２ａを覆う場合にも、大きな熱伝導率を有するアルミニウムからなる光漏れ防止蓋１０により、良好に熱を外部に放熱することができる。
（第２実施形態）
図８は、本発明の第２実施形態によるプロジェクタの光源ランプおよび光漏れ防止蓋を示した斜視図であり、図９は、図８に示した第２実施形態によるプロジェクタの光漏れ防止蓋を示した正面図であり、図１０は、図８に示した第２実施形態によるプロジェクタの光漏れ防止蓋を示した断面図である。図８〜図１０を参照して、本発明の第２実施形態によるプロジェクタ１の光漏れ防止蓋１５の構造について説明する。なお、この第２実施形態の光漏れ防止蓋１５以外の構造は、上記第１実施形態の構造と同様であるので、その説明を省略する。
【００３６】
この第２実施形態では、図８〜図１０に示すように、光漏れ防止蓋１５は、アルミニウムにより形成されている。また、光漏れ防止蓋１５の内面１５ａおよび外面は、図１０に示すように、前方に向かって先細りする階段状の円錐形状に形成されている。また、アルミニウム製の光漏れ防止蓋１５には、図８および図９に示すように、レンズ部材１６が取り付けられている。また、光漏れ防止蓋１５には、ねじ３０が取り付けられる２つのねじ孔１７を有するフランジ部１８が設けられている。
【００３７】
第２実施形態では、上記のように、光漏れ防止蓋１５の内面１５ａを、階段状に形成することによって、光漏れ防止蓋１５の内面１５ａから光源２１に向かって反射する光を、容易に散乱することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
上記実施形態では、光漏れ防止蓋を、アルミニウムにより形成した例を示したが、本発明はこれに限らず、光漏れ防止蓋を、アルミニウム以外の金属で形成してもよい。例えば、光漏れ防止蓋をマグネシウムによって形成した場合には、光漏れ防止蓋の表面（内面および外面）が、所定の粗さに形成されるので、光漏れ防止蓋の内面に特別な加工を施さなくても、光漏れ防止蓋の内面は、光を散乱させる機能を有する。
【００４０】
また、上記実施形態では、光漏れ防止蓋の内面を、階段状に形成した例を示したが、本発明はこれに限らず、光漏れ防止蓋の内面を、光を散乱させる階段状以外の形状にしてもよい。このように構成しても、光漏れ防止蓋の内面から光源に向かって反射する光を、散乱することができる。
【図面の簡単な説明】
【００４１】
【図１】本発明の第１実施形態による光源ランプを備えたプロジェクタを示した斜視図である。
【図２】図１に示した第１実施形態によるプロジェクタを示した平面図である。
【図３】図１に示した第１実施形態によるプロジェクタの光源ランプを示した斜視図である。
【図４】図１に示した第１実施形態によるプロジェクタの光漏れ防止蓋を示した斜視図である。
【図５】図１に示した第１実施形態によるプロジェクタの光源ランプおよび光漏れ防止蓋の取付構造を示した斜視図である。
【図６】図１に示した第１実施形態によるプロジェクタの光漏れ防止蓋を示した正面図である。
【図７】図１に示した第１実施形態によるプロジェクタの光源ランプおよび光漏れ防止蓋を示した断面図である。
【図８】本発明の第２実施形態によるプロジェクタの光源ランプおよび光漏れ防止蓋を示した斜視図である。
【図９】図８に示した第２実施形態によるプロジェクタの光漏れ防止蓋を示した正面図である。
【図１０】図８に示した第２実施形態によるプロジェクタの光漏れ防止蓋を示した断面図である。
【図１１】従来の一例による光源ランプを備えたプロジェクタの斜視図である。
【図１２】図１１に示した従来の一例によるプロジェクタの平面図である。
【図１３】図１１に示した従来の一例によるプロジェクタの光源ランプを示した斜視図である。
【図１４】図１１に示した従来の一例によるプロジェクタの光源ランプ収納ケースを示した斜視図である。
【図１５】図１１に示した従来の一例によるプロジェクタの光源ランプ収納ケースの内部構造を示した斜視図である。
【図１６】図１１に示した従来の一例によるプロジェクタの光源ランプおよび光源ランプ収納ケースの内部構造を示した断面図である。
【符号の説明】
【００４２】
１  プロジェクタ 
１０  光漏れ防止蓋
１０ａ  内面
１１  レンズ部材
２０  光源ランプ
２１  光源
２２  リフレクタ
２２ａ  開口部
【図１】
2006133408.tif 000003
【図２】
2006133408.tif 000004
【図３】
2006133408.tif 000005
【図４】
2006133408.tif 000006
【図５】
2006133408.tif 000007
【図６】
2006133408.tif 000008
【図７】
2006133408.tif 000009
【図８】
2006133408.tif 000010
【図９】
2006133408.tif 000011
【図１０】
2006133408.tif 000012
【図１１】
2006133408.tif 000013
【図１２】
2006133408.tif 000014
【図１３】
2006133408.tif 000015
【図１４】
2006133408.tif 000016
【図１５】
2006133408.tif 000017
【図１６】
2006133408.tif 000018